(57)【要約】【課題】木製の板部材同士を簡単に連結して床敷ユニットを形成すると共に、床敷ユニットが歪んだりするのを防止することができる連結部材を提供する。【解決手段】木口方向に対して略等間隔、且つ、略直角方向に延びる複数の溝２ａが裏面側に形成された木製の板部材２に対し、複数の板部材２を溝２ａにより木口方向に対して略直角方向に連結して平面視略正方形の床敷ユニット１を形成するための連結部材１０であって、連結部材１０に、溝２ａが形成された間隔よりも広い幅とされ床敷ユニット１の幅と略同じ長さとされた薄板状の底壁部１１と、底壁部１１の表面側に立設され隣接する二つの溝２ａ内に夫々挿入可能とされた一対の立壁部１２と、立壁部１２の両側面に形成され溝２ａ内に挿入された立壁部１２を抜け難くするための断面鋸状の係止部１３と、底壁部１１の裏面側に備えられたゴム製の滑止め部１４とを具備させる。【選択図】図１
0003131123.tif 000002
【実用新案登録請求の範囲】
【請求項１】
木口方向に対して略等間隔で、且つ、木口方向に対して略直角方向に延びる複数の溝が裏面側に形成された木製の板部材に対し、複数の該板部材を前記溝により木口方向に対して略直角方向に連結して平面視略正方形の床敷ユニットを形成するための連結部材であって、
前記溝が形成された間隔よりも広い幅とされると共に、前記床敷ユニットの幅と略同じ長さとされた薄板状の底壁部と、
該底壁部の表面側に立設され、隣接する二つの前記溝内に夫々挿入可能とされた一対の立壁部と、
該立壁部の両側面に形成され、前記溝内に挿入された前記立壁部を抜け難くするための断面鋸状の係止部と、
前記底壁部の裏面側に備えられたゴム製の滑止め部と
を具備し、
前記底壁部、前記立壁部、及び前記係止部が一体形成された樹脂製とされていることを特徴とする連結部材。
【考案の詳細な説明】
【技術分野】
【０００１】
本考案は、木製の板部材を横方向に複数連結して床敷ユニットを形成するための床敷ユニット用の連結部材に関するものである。
【背景技術】
【０００２】
従来より、床敷ユニットとして、床の表面となる木製の板部材を、横方向にすのこ状に連結したものが知られている。従来の床敷ユニットでは、複数の板部材を並べた上で、その裏側から床敷ユニットの幅と略同じ長さの板状の連結部材を、釘や接着剤等によって固定することで板部材同士を連結するようにしていた。また、板部材の裏面側に嵌合用の凹溝を形成すると共に、連結部材に凹溝と嵌合する凸部を形成し、板部材の凹溝に連結部材の凸部を嵌合させた上で、ネジを用いて連結部材を板部材に固定したものが提案されている（特許文献１）。
【特許文献１】特開２０００−１２９８９７号公報
【考案の開示】
【考案が解決しようとする課題】
【０００３】
しかしながら、従来の床敷ユニット用の連結部材は、板部材に対して、釘、ネジ、接着剤等を用いて固定するようにしており、床敷ユニットを組み立てる際に、手間のかかるものとなっていた。また、連結部材に木製の板部材が釘やネジ等で固定されているので、水分によって板部材が膨張した場合、隣り合う板部材同士が押し合ってその力によって床敷ユニットが歪んだり、乾燥によって板部材が収縮した場合、板部材間の隙間が広がったりする問題がある。
【０００４】
そこで、本考案は上記の実情に鑑み、木製の板部材同士を簡単に連結して床敷ユニットを形成すると共に、床敷ユニットが歪んだりするのを防止することができる連結部材の提供を課題とするものである。
【課題を解決するための手段】
【０００５】
上記の課題を解決するために、本考案の連結部材は、「木口方向に対して略等間隔で、且つ、木口方向に対して略直角方向に延びる複数の溝が裏面側に形成された木製の板部材に対し、複数の該板部材を前記溝により木口方向に対して略直角方向に連結して平面視略正方形の床敷ユニットを形成するための連結部材であって、前記溝が形成された間隔よりも広い幅とされると共に、前記床敷ユニットの幅と略同じ長さとされた薄板状の底壁部と、該底壁部の表面側に立設され、隣接する二つの前記溝内に夫々挿入可能とされた一対の立壁部と、該立壁部の両側面に形成され、前記溝内に挿入された前記立壁部を抜け難くするための断面鋸状の係止部と、前記底壁部の裏面側に備えられたゴム製の滑止め部とを具備し、前記底壁部、前記立壁部、及び前記係止部が一体形成された樹脂製とされている」ことを特徴とする。ここで、「木口方向」とは、木材となる樹木の伸びる方向であり、端部に年輪が現れる方向である。
【０００６】
本考案によると、複数の板部材を床敷ユニットと略同じ状態に並べた上で、各板部材に形成された隣接する二つの溝に対して連結部材の立壁部を挿入することで、各板部材同士を簡単に連結して、所望の床敷ユニットを容易に形成することができる。また、立壁部の両側面に鋸状の係止部が備えられているので、溝内への立壁部の挿入がし易く、挿入後は鋸状の鋭角部分が溝内壁に係止されて立壁部が抜け難くなり、床敷ユニットとして各板部材の連結を強固に維持することができる。
【０００７】
また、立壁部は板部材の溝に挿入されているだけなので、板部材の溝に沿って立壁部を移動させることができる。換言すると、連結部材の立壁部に沿って板部材がスライドすることができるので、水分によって板部材が膨張しても、板部材が連結部材上をスライドして膨張による力を逃がすことができ、床敷ユニットが歪むのを防止することができる。また、乾燥によって板部材が収縮して、板部材間の隙間が大きくなった場合、その隙間がなくなるように板部材をスライドさせることができ、床敷ユニットを良好な状態にすることができる。
【０００８】
更に、連結部材の裏面側には、ゴム製の滑止め部が備えられているので、ベランダや床等に敷設された床敷ユニットが滑るのを良好に防止することができる。また、連結部材には一対の立壁部が備えられているので、板部材に形成された二つの溝に対して夫々の立壁部を挿入して連結することで、平面視において連結部材に対して板部材が回り難くなり、各板部材を強固に連結して変形し難い床敷ユニットを形成することができる。更に、一対（二つ）の立壁部が夫々板部材の溝に挿入固定されることとなるので、連結部材が板部材からより抜け難くすることができる。
【０００９】
なお、一対の立壁部が挿入される板部材の溝は、木口方向に対して所定間隔で形成されており、水分や乾燥等による膨張や収縮が殆どなく隣接する溝の間隔が変化しないので、床敷ユニットの使用環境が変化しても、板部材から一対の立壁部に対して負荷がかかり難く、床敷ユニットや連結部材が歪んだりするのを防止することができる。
【００１０】
また、板部材の長さ及び溝の間隔によっては、一つの床敷ユニットに対して複数の連結部材を用いても良い。また、床敷ユニットの平面視における大きさは、任意の大きさとすることができ、例えば、畳の大きさに対して整数分の１の大きさとしても良く、この場合、屋内に床敷ユニットを敷設する際に、単一の大きさの床敷ユニットのみで床面全体を良好に覆うことができる。更に、床敷ユニットの厚さを畳の厚さと略同じ厚さとしても良く、これにより、簡単に畳部屋を床敷ユニットを敷き並べた床部屋に変えることができる。
【考案の効果】
【００１１】
上記のように、本考案によると、木製の板部材同士を簡単に連結して床敷ユニットを形成すると共に、床敷ユニットが歪んだりするのを防止することができる連結部材を提供することができる。
【考案を実施するための最良の形態】
【００１２】
以下、本考案を実施するための最良の形態を、図１に基づいて詳細に説明する。図１（Ａ）は本考案に係る連結部材の一実施形態を示す正面図であり、（Ｂ）は（Ａ）の連結部材を用いて形成された床敷ユニットの全体構成を示す斜視図である。
【００１３】
図１に示すように、本実施形態の連結部材１０は、木口方向に対して略等間隔で、且つ、木口方向に対して略直角方向に延びる複数の溝２ａが裏面側に形成された木製の板部材２に対し、複数の板部材２を溝２ａにより木口方向に対して略直角方向に連結して平面視略正方形の床敷ユニット１を形成するためのものである。なお、本例では、一つの床敷ユニット１に対して、二つの連結部材１０と五つの板部材２とが用いられている。
【００１４】
この連結部材１０は、板部材２の溝２ａが形成された間隔よりも広い幅とされると共に、床敷ユニット１の幅と略同じ長さとされた薄板状の底壁部１１と、底壁部１１の表面側に立設され、隣接する二つの溝２ａ内に夫々挿入可能とされた一対の立壁部１２と、立壁部１２の両側面に形成され、溝２ａ内に挿入された立壁部１２を抜け難くするための断面鋸状の係止部１３と、底壁部１１の裏面側に備えられたゴム製の滑止め部１４とを備えている。
【００１５】
連結部材１０における係止部１３を含む立壁部１２の厚さは、板部材２の溝２ａの幅よりも若干大きい厚さとされており、立壁部１２が板部材２の溝２ａ内へ圧入されるようになっていると共に、挿入された立壁部１２の鋸状の係止部１３が、溝２ａの内壁に喰い込むように当接して、溝２ａから立壁部１２が簡単に抜けないようになっている。
【００１６】
なお、本例では、連結部材１０の底壁部１１、立壁部１２、及び係止部１３が一体形成された樹脂製とされ、リサイクル樹脂を用いて押し出し成形により長尺状に形成したものを、適宜長さに切断したものである。また、板部材２には、杉や檜等の間伐材が用いられている。これらにより、資源が有効利用されている。
【００１７】
因みに、本例の床敷ユニット１は、平面視において一辺が約３０ｃｍで、厚さが畳の厚さと略同じ４〜５ｃｍとされ、連結部材１０の長さが床敷ユニット１の一辺よりも若干短い長さとされている。また、板部材２は、長さが約３０ｃｍ、幅が約６ｃｍ、厚さが約４ｃｍとされ、裏面側に形成された溝２ａは、幅が約３ｍｍ、深さが約１５ｍｍとされ、中心間距離が約６ｃｍとなるように等間隔で溝２ａが形成されている。
【００１８】
このように、本実施形態の連結部材１０によると、複数の板部材２を床敷ユニット１と略同じ状態に並べた上で、各板部材２に形成された隣接する二つの溝２ａに対して連結部材１０の立壁部１２を挿入することで、各板部材２同士を簡単に連結して、所望の床敷ユニット１を容易に形成することができる。また、立壁部１２の両側面に鋸状の係止部１３が備えられているので、溝２ａ内への立壁部１２の挿入がし易く、挿入後は鋸状の鋭角部分が溝２ａの内壁に係止されて立壁部１２が抜け難くなり、床敷ユニット１として各板部材２の連結を強固に維持することができる。
【００１９】
また、立壁部１２は板部材２の溝２ａに挿入されているだけなので、連結部材１０の立壁部１２に沿って板部材２をスライドさせることが可能となっており、水分によって板部材２が膨張しても、板部材２が連結部材１０上をスライドして膨張による力を逃がすことができ、床敷ユニット１が歪むのを防止することができる。また、乾燥によって板部材２が収縮して、板部材２間の隙間が大きくなった場合、その隙間がなくなるように板部材２をスライドさせることができ、床敷ユニット１を良好な状態にすることができる。
【００２０】
更に、連結部材１０の裏面側には、ゴム製の滑止め部１４が備えられているので、ベランダや屋内の床等に敷設された床敷ユニット１が滑るのを良好に防止することができる。また、連結部材１０には一対の立壁部１２が備えられているので、板部材２に形成された二つの溝２ａに対して夫々の立壁部１２を挿入して連結することで、平面視において連結部材１０に対して板部材２が回り難くなり、各板部材２を強固に連結して変形し難い床敷ユニット１を形成することができる。
【００２１】
以上、本考案を実施するための最良の実施の形態を挙げて説明したが、本考案は、この実施形態に限定されるものではなく、以下に示すように、本考案の要旨を逸脱しない範囲において、種々の改良及び設計の変更が可能である。
【００２２】
すなわち、上記の実施形態では、一つの床敷ユニット１に対して、二つの連結部材１０を用いたものを示したが、これに限定するものではなく、連結部材１０を一つ、或いは、三つ以上用いても良い。また、床敷ユニット１の大きさや、床敷ユニット１を構成する板部材２の数等は、床敷ユニット１を用いる環境等に応じて、適宜選択することができる。
【００２３】
また、本実施形態では、連結部材１０を、複数の板部材２同士を連結して床敷ユニット１を形成する用途を示したが、これに限定するものではなく、例えば、複数の床敷ユニット１同士を連結するために本考案の連結部材１０を用いても良い。
【００２４】
更に、本実施形態では、連結部材１０として、押し出し成形された樹脂製のものを示したが、これに限定するものではなく、例えば、図２に示すような連結部材２０としても良く、この連結部材２０は、一枚の板材を屈曲させて形成したものである。具体的には、底壁部２１に対して一対の立壁部２２が夫々折り曲げられて形成されている。また、底壁部２１における一対の立壁部２２の外側に位置する裏面側には、滑止め部２３として両面テープが貼り付けられている。なお、この連結部材２０を構成する板材としては、樹脂や紙等からなる段ボールを用いることができ、段ボールの弾性力により、立壁部２２を板部材２の溝２ａに良好に保持させることができる。また、段ボール紙を用いた場合は、段ボール紙に対して防水処理を施すことが望ましい。この実施形態の連結部材２０でも、上述の連結部材１０と同様の作用効果を奏することができる他、より安価に連結部材２０を製造することができる。
【図面の簡単な説明】
【００２５】
【図１】（Ａ）は本考案に係る連結部材の一実施形態を示す正面図であり、（Ｂ）は（Ａ）の連結部材を用いて形成された床敷ユニットの全体構成を示す斜視図である。
【図２】図１とは異なる連結部材を示す正面図である。
【符号の説明】
【００２６】
１  床敷ユニット
２  板部材
２ａ  溝
１０  連結部材
１１  底壁部
１２  立壁部
１３  係止部
１４  滑止め部
【図１】
0003131123.tif 000003
【図２】
0003131123.tif 000004